(57)【特許請求の範囲】
【請求項１】
ストリングの一部をリムの面内に設けられた弦溝を通過するように張設した洋弓において、
前記弦溝内に上面がリムの上面と略同一面上に位置するように振動吸収部材を配置したことを特徴とする洋弓。
【請求項２】
ストリングの一部をリムの面内に設けられた弦溝を通過するように張設した洋弓において、
前記弦溝内に円弧状に振動吸収部材を装着したことを特徴とする洋弓。
【請求項３】
前記振動吸収部材は、ゴム硬度で３０〜６０度とする樹脂により構成されていることを特徴とする請求項１又は２記載の洋弓。
【請求項４】
ストリングの一部をリムの面内に設けられた弦溝を通過するように張設した洋弓用の振動吸収部材であって、
前記弦溝内に円弧状に装着されることを特徴とする振動吸収部材。
【請求項５】
前記振動吸収部材は、ゴム硬度で３０〜６０度とする樹脂により構成されていることを特徴とする請求項４記載の振動吸収部材。
【発明の詳細な説明】
【０００１】
【発明の属する技術分野】
本発明は、洋弓及び振動吸収部材に係り、更に詳しくは、矢を発射するときに、リムに発生する振動を抑制することができる洋弓及び振動吸収部材に関する。
【０００２】
【従来の技術】
従来より利用されている洋弓としては、例えば、図６に示されるタイプのものが存在し、当該洋弓５０は、ハンドル５１の上下両側に設けられたリム５２，５２と、これらリム５２，５２の端部間に張設されたストリング５３とを備えて構成されている。
【０００３】
前記洋弓５０により矢を発射する場合、ストリング５３を引いてから手を離したときに、リム５２，５２の各端部側でストリング５３がはね返り、これらの間に振動が生じることとなる。これにより、リム５２等に負荷が生じて当該リム５２の変形や強度低下の原因となるばかりでなく、振動が使用者の手に伝播し、操作性を損なって矢の的中率を低下させる虞もある。そこで、前記振動を抑制するため、ハンドル５１の前部に図中横方向に延びるスタビライザー５５を装着したり、リム５２の前面側に前方に突出する形状を備えた一対の軟質材５６を設けた構成を採用することが一般的に行われている。
【０００４】
【発明が解決しようとする課題】
しかしながら、前記スタビライザー５５にあっては、洋弓５０全体の重量が増加してしまい、これがため、使用者に負担を強いるという不都合を生じる。また、スタビライザー５５は、振動を抑制するための調整が煩雑になる他、洋弓の持ち運びに際して邪魔な存在になるという不都合もある。更に、軟質材５６にあっては、振動の発生源となるリム５２の両端から離れた位置に取り付けられているため、振動を効果的に吸収するには至っていない。
【０００５】
【発明の目的】
本発明は、このような不都合に着目して案出されたものであり、その目的は、ストリングとリムとの衝突による振動を簡易な構造により効果的に吸収することができる洋弓及び振動吸収部材を提供することにある。
【０００６】
【課題を解決するための手段】
前記目的を達成するため、本発明は、ストリングの一部をリムの面内に設けられた弦溝を通過するように張設した洋弓において、
前記弦溝内に上面がリムの上面と略同一面上に位置するように振動吸収部材を配置する、という構成を採っている。このような構成によれば、矢を発射したときに、ストリングが振動吸収部材に衝突し、リムとストリングとの間に生じる振動の発生を直接的且つ効果的に吸収することができる。これにより、従来例に示されるようなスタビライザー等を装着することなく、前記振動の発生を抑制することができるとともに、洋弓全体の軽量化を図ることが可能となり、ひいては、使用者の負担を軽減して矢の的中率を向上させることが可能となる。
【０００７】
また、本発明に係る振動吸収部材は、ストリングの一部をリムの面内に設けられた弦溝を通過するように張設した洋弓における当該弦溝内に円弧状に装着される、という構成が採用される。
【０００９】
【発明の実施の形態】
本発明の洋弓において、振動吸収部材は、前記弦溝に着脱自在に設けられる、という構成を採ることが好ましい。このような構成によれば、弦溝に振動吸収部材を後付けしたり、容易に交換することができ、振動吸収部材の取扱性を良好に維持することが可能となる。
【００１０】
また、前記振動吸収部材は、ゴム硬度で３０〜６０度とするウレタンゴム等からなる樹脂により構成するとよい。このような構成を採れば、樹脂の有するクッション性により振動を効果的に吸収することができ、また、繰り返し使用による耐久性を十分に確保することが可能となる。
【００１１】
【実施例】
以下、本発明の実施例を図面を参照しながら説明する。
【００１２】
［第１実施例］
図１には、第１の実施例に係る洋弓の正面図が示され、図２には、リムの一部拡大右側面図が示されている。これらの図において、洋弓１０は、ハンドル１１の上下両側に連結されたリム１２と、このリム１２の上下両端間に張設されたストリング１３とを備えて構成されている。
【００１３】
前記リム１２は、上下一対となる分割型に設けられ、ハンドル１１の上部及び下部にそれぞれ連結された上部リム１５及び下部リム１６により構成されている。これら上部及び下部リム１５，１６は、その先端側に曲面向きを波形に変更するリカーブ部１５Ａ，１６Ａをそれぞれ備えており、これらリカーブ部１５Ａ，１６Ａにおけるストリング１３側の面内には、図２に示されるように、ストリング１３の通過を許容する弦溝１５Ｂ，１６Ｂがそれぞれ設けられている。これら弦溝１５Ｂ，１６Ｂは、図３に示されるように、横断面視略半円弧状に設けられ、特に限定されるものでないが、本実施例では、深さ３ｍｍ、短寸方向幅（左右幅）８ｍｍ、長寸方向長さ９０ｍｍに設定されている。ここで、各弦溝１５Ｂ，１６Ｂには、その内部空間を埋めるように振動吸収部材１８がそれぞれ装着されている。
【００１４】
前記振動吸収部材１８は、弦溝１５Ｂの内周面に貼着された両面テープ１９を介して弦溝１５Ｂに着脱自在に装着されているとともに、図３中上面がリム１２の上面と略同一面上に位置するように反転した略かまぼこ形状に設けられている。振動吸収部材１８は、ゴム硬度で３０〜６０度好ましくは３８度に設定されたウレタンゴム等の樹脂により構成され、ストリング１３との衝突時に適度なクッション性を発揮するようになっている。
【００１５】
以上の構成において、前記洋弓１０を用いて矢を発射する場合、ストリング１３の略中央部を図１中右方向に引いてから手を離すことにより矢が発射され、これと略同時にストリング１３の上下両側が各振動吸収部材１８に衝突することとなる。この際、振動吸収部材１８がストリング１３を受け止め、これらの間に発生する衝撃を緩和して、リム１２に生じる振動が抑制されることとなる。
【００１６】
従って、このような第１の実施例によれば、弦溝１５Ｂ，１６Ｂ内に振動吸収部材１８を装着するだけで、リム１２の振動を抑制することが可能となるため、従来例に示されるスタビライザーのような調整作業が不要となり、極めて簡易な構成により振動を抑制することができる。また、振動吸収部材１８は、両面テープ１９により弦溝１５Ｂ，１６Ｂに装着可能なため、容易に後付けすることができるばかりでなく、経時的劣化等による交換も容易に行うことが可能となる。
【００１７】
［第２実施例］
次に、本発明の第２の実施例について図４及び図５を参照しながら説明する。なお、以下の説明において、前記第１の実施例と同一若しくは同等の構成部分については必要に応じて同一符号を用いるものとし、説明を省略若しくは簡略にする。
【００１８】
この第２の実施例は、弦溝１５Ｂに装着される振動吸収部材２１をシート状に形成したところに特徴を有する。この振動吸収部材２１は、図４に示されるように、弦溝１５Ｂの開口面積より広い平面形状を備えているとともに、厚さ約１ｍｍに設定されたウレタンゴムにより構成されている。振動吸収部材２１は、図５に示されるように、弦溝１５Ｂの内周面に沿うように位置する円弧部２２と、この円弧部２２の図中上端に連なってリム１２の外面上に位置する水平部２３とを備えている。これら円弧部２２及び水平部２３は、両面テープ２４を介して弦溝１５Ｂ及びリム１２に着脱自在に装着され、これにより、第１の実施例に比べて振動吸収部材２１の接着面を広く確保することができ、当該振動吸収部材２１の装着姿勢を一層強固に維持することができる。
【００１９】
従って、このような第２の実施例によれば、振動吸収部材２１をシート状としたから、ストリング１３の衝突位置が弦溝１５Ｂの中央位置より若干ずれた場合であっても、常に一様な振動吸収効果を得ることができる。また、振動吸収部材２１には円弧部２２が形成されるため、矢発射後にストリング１３が円弧部２２内に位置することとなり、当該ストリング１３の横ぶれを防止することも可能となる。
【００２０】
【発明の効果】
以上説明したように、本発明は、リムの面内に設けられた弦溝に振動吸収部材を配置したから、矢発射時におけるリムの振動の発生を直接的に吸収することができ、また、従来のようなスタビライザーを設けなくてもよいため、洋弓全体の軽量化を図ることが可能となる。
【００２２】
更に、振動吸収部材がゴム硬度で３０〜６０度とする樹脂により構成されているから、樹脂のクッション性により振動を効果的に吸収することができる。
【図面の簡単な説明】
【図１】  第１の実施例に係る洋弓の正面図。
【図２】  リムの一部拡大右側面図。
【図３】  図２のＡ−Ａ線矢視拡大断面図。
【図４】  第２の実施例に係る洋弓の図２と同様の右側面図。
【図５】  図４のＢ−Ｂ線矢視拡大端面図。
【図６】  従来例に係る洋弓の正面図。
【符号の説明】
１０・・・洋弓、１２・・・リム、１３・・・ストリング、１５Ｂ，１６Ｂ・・・弦溝、１８，２１・・・振動吸収部材
【図１】
0003642306.tif 000002
【図２】
0003642306.tif 000003
【図３】
0003642306.tif 000004
【図４】
0003642306.tif 000005
【図５】
0003642306.tif 000006
【図６】
0003642306.tif 000007